【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
ブロック単位に付加情報を埋め込んだ画像が印刷された印刷媒体を読み取って得られる画像から前記付加情報を分離する画像処理装置であって、
前記付加情報の内容を判定する際の判定量を算出する判定量算出手段と、
前記判定量算出手段で算出した判定量から付加情報が埋め込まれているブロック位置を検出するブロック位置検出手段を有することを特徴とする画像処理装置。
【請求項２】
前記判定量算出手段で算出する判定量は、前記ブロック単位でのテクスチャの周波数特性解析処理を行い、該周波数特性解析処理で算出される周波数特性量、または、前記付加情報の符号判定を行う際の符号判定量であることを特徴とする請求項１記載の画像処理装置。
【請求項３】
前記判定量算出手段で算出する判定量は、前記付加情報が埋め込まれているブロック位置で算出する場合と、埋め込まれていないブロック位置で算出する場合とで判定量が異なることを特徴とする請求項１記載の画像処理装置。
【請求項４】
前記ブロック位置検出手段は、前記判定量算出手段で算出した判定量から特徴量を抽出する特徴抽出手段と、前記特徴抽出手段で抽出した特徴量から付加情報が埋め込まれているブロック位置を算出するブロック位置算出手段とを備えることを特徴とする請求項１記載の画像処理装置。
【請求項５】
前記特徴抽出手段は、前記判定量算出手段で算出した判定量の最大値または最小値を特徴量として検出して、前記ブロック位置算出手段は、前記特徴抽出手段で検出した特徴量である最大値または最小値の位置を付加情報が埋め込まれているブロック位置と判定することを特徴とする請求項４記載の画像処理装置。
【請求項６】
前記特徴抽出手段は、前記判定量算出手段で算出した判定量を一定の間隔毎に加算して、一定の間隔毎に加算した判定量から最大値または最小値を特徴量として検出して、前記ブロック位置算出手段は、前記特徴抽出手段で検出した特徴量である最大値または最小値の位置を付加情報が埋め込まれているブロック位置と判定することを特徴とする請求項４記載の画像処理装置。
【請求項７】
前記特徴抽出手段は、前記判定量算出手段で算出した判定量を、横軸毎、縦軸毎に加算して、横軸毎、縦軸毎の最大値または最小値を特徴量として検出して、前記ブロック位置算出手段は、前記特徴抽出手段で検出した特徴量である横軸毎の最大値または最小値と縦軸毎の最大値または最小値の位置が重なる位置を付加情報が埋め込まれているブロック位置と判定することを特徴とする請求項４記載の画像処理装置。
【請求項８】
前記特徴抽出手段は、前記判定量算出手段で算出した判定量にフィルタ係数かけた判定量を、横軸毎、縦軸毎に加算して、横軸毎、縦軸毎の最大値または最小値の判定量を特徴量として検出して、前記ブロック位置算出手段は、前記特徴抽出手段で検出した特徴量である横軸毎の最大値または最小値と縦軸毎の最大値または最小値の位置が重なる位置を付加情報が埋め込まれているブロック位置と判定することを特徴とする請求項４記載の画像処理装置。
【請求項９】
ブロック単位に付加情報を埋め込んだ画像が印刷された印刷媒体を読み取って得られる画像から前記付加情報を分離する画像処理装置であって、
前記読み取られた画像内で、複数の領域を設定する領域設定手段と、
前記領域設定手段で設定した複数の領域毎に、付加情報の内容を判定する際の判定量を算出する部分判定量算出手段と、
前記部分判定量算出手段で算出した判定量から付加情報が埋め込まれているブロック位置を検出する部分ブロック位置検出手段と、
前記部分ブロック位置検出手段で検出したブロック位置が、前記部分判定量算出手段で算出した判定量を用いて信頼性を判定して信頼性判定値を算出する信頼性判定手段と、
前記信頼性判定手段で算出した信頼性判定値の信頼性の低いブロック位置を信頼性の高いブロック位置から補間する検出ブロック位置補正手段と、
前記検出ブロック位置補正手段で補正された複数のブロック領域から付加情報が埋め込まれたブロック領域を算出するブロック領域算出手段を有することを特徴とする画像処理装置。
【請求項１０】
前記信頼性判定手段は、前記ブロック単位でのテクスチャの周波数特性解析処理を行い、周波数特性解析処理で算出される周波数特性量、または、付加情報の符号判定を行う際の符号判定量で信頼性評価を行うことを特徴とする請求項９記載の画像処理装置。
【請求項１１】
前記信頼性判定手段は、ブロック単位でのテクスチャの周波数特性解析処理を行い、周波数特性解析処理で算出される周波数特性量と付加情報の符号判定を行う際の符号判定量で信頼性評価行うことを特徴とする請求項９記載の画像処理装置。
【請求項１２】
前記検出ブロック位置補正手段は、信頼性の低いブロック位置を１つまたは複数の信頼性の高いブロック位置から補正を行うことを特徴とする請求項９記載の画像処理装置。
【請求項１３】
前記領域設定手段は、前記読み取られた画像サイズによって変更することを特徴とする請求項９に記載の画像処理装置。
【請求項１４】
ブロック単位に付加情報を埋め込んだ画像が印刷された印刷媒体を読み取って得られる画像から前記付加情報を分離する画像処理方法であって、
前記付加情報の内容を判定する際の判定量を算出する判定量算出工程と、
前記判定量算出工程で算出した判定量から付加情報が埋め込まれているブロック位置を検出するブロック位置検出工程を有することを特徴とする画像処理方法。
【請求項１５】
ブロック単位に付加情報を埋め込んだ画像が印刷された印刷媒体を読み取って得られる画像から前記付加情報を分離する画像処理方法であって、
前記光学読み取り工程で読み取られた画像内で、複数の領域を設定する領域設定工程と、
前記領域設定工程で設定した複数の領域毎に、付加情報の内容を判定する際の判定量を算出する部分判定量算出工程と、
前記部分判定量算出工程で算出した判定量から付加情報が埋め込まれているブロック位置を検出する部分ブロック位置検出工程と、
前記部分ブロック位置検出工程で検出したブロック位置が、前記部分判定量算出工程で算出した判定量を用いて信頼性を判定して信頼性判定値を算出する信頼性判定工程と、
前記信頼性判定工程で算出した信頼性判定値の信頼性の低いブロック位置を信頼性の高いブロック位置から補間する検出ブロック位置補正工程と、
検出ブロック位置補正工程で補正された複数のブロック領域から付加情報が埋め込まれたブロック領域を算出するブロック領域算出工程を有することを特徴とする画像処理方法。
【請求項１６】
コンピュータを、請求項１乃至１３のいずれかに記載の画像処理装置として機能させるためのコンピュータが読み取り可能なコンピュータプログラム。
【手続補正２】
【補正対象書類名】明細書
【補正対象項目名】発明の名称
【補正方法】変更
【補正の内容】
【発明の名称】画像処理装置および方法
【手続補正３】
【補正対象書類名】明細書
【補正対象項目名】００２３
【補正方法】変更
【補正の内容】
【００２３】
上述の目的を達成するために、本願請求項１記載の発明は、ブロック単位に付加情報を埋め込んだ画像が印刷された印刷媒体を読み取って得られる画像から前記付加情報を分離する画像処理装置であって、前記付加情報の内容を判定する際の判定量を算出する判定量算出手段と、前記判定量算出手段で算出した判定量から付加情報が埋め込まれているブロック位置を検出するブロック位置検出手段を有することを特徴とする。
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】変更
【補正の内容】
【００２５】
また、本願請求項９記載の発明は、ブロック単位に付加情報を埋め込んだ画像が印刷された印刷媒体を読み取って得られる画像から前記付加情報を分離する画像処理装置であって、前記読み取られた画像内で、複数の領域を設定する領域設定手段と、前記領域設定手段で設定した複数の領域毎に、付加情報の内容を判定する際の判定量を算出する部分判定量算出手段と、前記部分判定量算出手段で算出した判定量から付加情報が埋め込まれているブロック位置を検出する部分ブロック位置検出手段と、前記部分ブロック位置検出手段で検出したブロック位置が、前記部分判定量算出手段で算出した判定量を用いて信頼性を判定して信頼性判定値を算出する信頼性判定手段と、前記信頼性判定手段で算出した信頼性判定値の信頼性の低いブロック位置を信頼性の高いブロック位置から補間する検出ブロック位置補正手段と、前記検出ブロック位置補正手段で補正された複数のブロック領域から付加情報が埋め込まれたブロック領域を算出するブロック領域算出手段を有することを特徴とする。
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】